(57)【特許請求の範囲】
【請求項１】
実体顕微鏡からの画像とファイバスコープからの画像とが同一視野内で同時に観察できる複視野顕微鏡であって、
実体顕微鏡の対物レンズ部から接眼レンズ部に至る左眼用または右眼用のいずれか一方の画像光路にのみ、その画像光路の一部分に、この画像光路と光軸が並行するようにファイバスコープからの画像光を、上記接眼レンズ部に向けて挿入する手段Ａと、上記ファイバスコープからの画像光を、上記実体顕微鏡の視野内に観察させる手段Ｂとを備え、
上記一方の画像光路に設けた接眼レンズ部における視野は、実体顕微鏡からの画像視野の中にファイバスコープからの画像視野を配してなり、他方の画像光路に設けた接眼レンズ部の視野は、実体顕微鏡からの画像視野のみからなることを特徴とする複視野顕微鏡。
【請求項２】
手段Ａは着脱自在とされてなることを特徴とする請求項１に記載の複視野顕微鏡。
【請求項３】
ファイバスコープの対物レンズ部は、実体顕微鏡の視野内に観察できるように配置されてなることを特徴とする請求項１に記載の複視野顕微鏡。
【発明の詳細な説明】
【０００１】
【発明の属する技術分野】
本発明は、実体顕微鏡で観察中に、必要に応じてファイバスコープからの画像を同一視野内で同時に観察することができる複視野顕微鏡に関する。
【０００２】
【従来の技術】
例えば眼科や脳外科などの手術はきわめて微細な手技を要するので、最近では実体顕微鏡で患部を観察しながら施術するようになってきている。一方、ファイバスコープ（内視鏡）は、消化器系を中心に医療用診断治療器具としてすでに一般的に使用されているが、最近では直径１ｍｍ以下の極細径のものも開発され、従来適用できなかった血管、乳腺、膵管、眼内、脳血管などの細く狭い管腔内部の観察も可能となったので、適用範囲は一段と広がった。
【０００３】
【発明が解決しようとする課題】
最近になって、精密な手術などにおいては、倍率が比較的低く視界が広い実体顕微鏡で対象部位の全体像を観察しながら、その細部あるいはその内奥部を比較的倍率が高いファイバスコープで精密に観察したいという要求が高まってきた。しかし、この場合は実体顕微鏡とファイバスコープとを並べ、目を一方から一旦離して他方に転ずる必要があり、またその都度、視野や焦点の調整を要することもあって、操作が煩雑になる。また、ファイバスコープの倍率が高くなればそれだけ視界は狭くなるので、求める対象部位をファイバスコープの視野内に捕捉することがきわめて困難になる。
本発明は上記の問題を解決するためになされたものであり、従ってその目的は、実体顕微鏡による観察とファイバスコープによる観察とを同一視野内で同時に行うことができ、しかも観察したい対象部位をファイバスコープの視野内に捕捉し易くした複視野顕微鏡を提供することにある。
【０００４】
【課題を解決するための手段】
上記の課題は、実体顕微鏡の対物レンズ部から接眼レンズ部に至る左眼用または右眼用のいずれか一方の画像光路にのみ、その画像光路の一部分に、この画像光路と光軸が並行するようにファイバスコープからの画像光を、上記接眼レンズ部に向けて挿入する手段Ａと、上記ファイバスコープからの画像光を、上記実体顕微鏡の視野内に観察させる手段Ｂとを備え、上記一方の画像光路に設けた接眼レンズ部における視野は、実体顕微鏡からの画像視野の中にファイバスコープからの画像視野を配してなり、他方の画像光路に設けた接眼レンズ部の視野は、実体顕微鏡からの画像視野のみからなる、複視野顕微鏡を提供することによって解決できる。手段Ａは着脱自在とされていることが好ましい。また、ファイバスコープの対物レンズ部は、実体顕微鏡の視野内に観察できるように配置されていることが好ましい。
【０００５】
【発明の実施の形態】
次に、本発明を一実施形態により、図面を用いて説明する。
図１はこの実施形態の複視野顕微鏡を示している。図１において、この複視野顕微鏡は、概略、観察者の左右の眼に対応する左眼用および右眼用の接眼レンズ部１ａ、１ｂと、鏡胴部２と、対物レンズ部（以下、「顕微鏡対物レンズ部」という）３とからなる実体顕微鏡本体１０が台座４に上下動自在に支持され、焦点調整ノブ５によって上下に移動して観察対象物Ｍに焦点が合うようになっている。
【０００６】
この鏡胴部２には、内部に配設されたミラーを、摺動または回転により、鏡胴内部の光路から随時に着脱することができるミラー着脱ノブ６が付設されている。
また、この鏡胴部２の側部から、画像調整機構７を介してイメージファイバ２１が引き出され、このイメージファイバ２１は、ファイバスコープ２０の挿入部２２に接続されている。この挿入部２２には、照明光源２３から照明用光ファイバ２４を通して照明用の光が導入され、挿入部２２の先端の対物レンズ部２５から、観察対象物Ｍの少なくとも一部分を照明するようになっている。
【０００７】
このファイバスコープの対物レンズ部（以下、「ＦＳ対物レンズ部」という）２５は、図２に示すように、照明光源２３に接続された照明用光ファイバ２４と、イメージファイバ２１の端末２６と、その先端に取り付けられた対物レンズ２７とを有してなり、その先端の正面図を図２（Ａ）に示すように、この対物レンズ２７は照明用光ファイバ２４の束の中に偏心して設けられている。
【０００８】
この複視野顕微鏡の光学系を図３に示す。
図３において、実体顕微鏡本体１０の光学系は、それぞれ左眼用および右眼用の接眼レンズ部１ａ、１ｂと、左右共通の顕微鏡対物レンズ部３とからなる。観察対象物Ｍからの画像光は、顕微鏡対物レンズ部３を通過して鏡胴部２の内部に形成された画像光路（以下、「鏡胴光路」という）９ａ、９ｂを通って、左眼用および右眼用の接眼レンズ部１ａ、１ｂに向けて進行する。
【０００９】
一方、ファイバスコープ２０が受光した画像光は、イメージファイバ２１を通って、画像調整機構７に入射する。この画像調整機構７を通った画像光は、鏡胴部２の側方から入射し、鏡胴部２内に配設され、ミラー着脱ノブ６に連結されたミラー８によって、左眼用または右眼用のいずれか一方の接眼レンズ部、例えば接眼レンズ部１ａに向けて、鏡胴光路９ａと光軸が並行になるように屈折され、ファイバスコープ２０からの光路（以下、「ＦＳ光路」という）２９を形成する。つまり、図３においてはミラー８が、実体顕微鏡からの画像光路９ａに、ファイバスコープ２０からの画像光を、接眼レンズ部１ａに向けて挿入する手段Ａをなしている。
【００１０】
上記の画像調整機構７は、ファイバスコープ２０からの光路を、その光軸に対して前後および任意の垂直方向に移動でき、また光軸角を変化させることができるリレーレンズからなる正立調整部７ａと、ファイバスコープ２０からの画像と実体顕微鏡本体１０からの画像とが同一視野面に同時に焦点を結ぶように調整するリレーレンズからなる焦点調整部７ｂとからなっている。ゆえに、図３においては、画像調整機構７が、ファイバスコープ２０からの画像光を、上記視野内に観察させる手段Ｂとして働くものである。
【００１１】
この複視野顕微鏡は、実体顕微鏡本体１０の焦点を観察対象物Ｍに合わせ、また照明光源２３を点灯し、ＦＳ対物レンズ部２５を観察対象物に向け、かつ画像調整機構７を調整することによって、図４に示すように、実体顕微鏡本体１０の画像視野３０中にファイバスコープ２０の画像視野３１が形成され、双方の画像を同一視野内で同時に観察することができる。
換言すると、本発明に係る複視野顕微鏡においては、一方の画像光路９ａに設けた接眼レンズ部１ａにおける視野は、実体顕微鏡からの画像視野３０の中にファイバスコープからの画像視野３１を配してなり（図４）、他方の画像光路９ｂに設けた接眼レンズ部１ｂの視野は、実体顕微鏡からの画像視野のみからなる（不図示）。
【００１２】
また、このとき、ＦＳ対物レンズ部２５を、実体顕微鏡本体の画像視野３０の中に観察できるように配置すれば、ファイバスコープ２０の観察対象部位を、接眼レンズ部１ａ、１ｂから目を離すことなく確認できるようになる。
【００１３】
ミラー８は、ミラー着脱ノブ６を操作することによって鏡胴光路９ａから随時、除去することができる。ミラー８が除去されると、ファイバスコープ２０からの画像光は接眼レンズ部１ａに到達しないから、実体顕微鏡視野３０からファイバスコープ２０の画像視野３１が消え、実体顕微鏡本体の画像のみが観察できるようになる。
ミラー着脱ノブ６のかわりに、フットスイッチを用いてミラー８の着脱を行うこともできる。この場合は、手で操作する必要がないので更に便利である。
【００１４】
ミラー着脱機構が付属されていない場合は、照明電源２３を消灯するか、ＦＳ対物レンズ部２５に蓋をするなどによってファイバスコープの画像視野３１を暗くすれば、視野から画像視野３１が消え、実体顕微鏡本体１０の画像のみが観察されるようになる。ただし、この場合は接眼レンズ部１ａの明るさが接眼レンズ部１ｂより若干暗くなる。
【００１５】
ＦＳ対物レンズ部２５における照明が暗いと、ファイバスコープの画像視野３１において、ファイバスコープ２０からの画像と実体顕微鏡本体１０からの画像が重なって見える場合がある。これは、照明光源２３の光量を増すことによって解消する。従って、照明光源２３の光量を可変式とすれば、ファイバスコープの画像視野３１における画像を二重像から単一像に無段階に変化させることもできる。
【００１６】
本発明の複視野顕微鏡の使い方として、最初はミラー８を鏡胴光路９ａから除去して、ファイバスコープの画像視野３１が実体顕微鏡本体の視野３０内に現れない状態にしておき、通常の単一視野の実体顕微鏡として対象物を観察し、その視野内に精密に観察したい対象部位が現れたら、接眼レンズ部からの観察を続けながら、ＦＳ対物レンズ部２５を、実体顕微鏡の視野３０内に入れ、観察したい対象部位に配置し、次いでミラー８を鏡胴光路９ａに挿入すれば、求める部位の精密像がファイバスコープの画像視野３１の中に観察できる。
【００１７】
また、別の使い方として、例えば外科手術などの際には、検査対象部位の表層を実体顕微鏡本体で観察しながら、ＦＳ対物レンズ部２５をその対象部位の組織の内面または裏側に挿入することによって、対象部位の表層を実体顕微鏡の視野３０内に、またその内面組織を、ファイバスコープの画像視野３１内に同時に観察することも可能となる。
【００１８】
鏡胴光路９ａとＦＳ光路２９とを並行させる手段として、上記実施形態ではミラー８を用いたが、この手段はミラーに限定されるものではなく、例えばハーフミラーやプリズムなどを用いることもできる。
【００１９】
【発明の効果】
本発明の複視野顕微鏡は、左眼用または右眼用のいずれか一方の鏡胴光路の一部分に、ファイバスコープからの画像光を光軸が並行するように挿入する手段Ａと、ファイバスコープからの画像光を実体顕微鏡の視野内に観察させる手段Ｂとを備え、上記一方の画像光路に設けた接眼レンズ部における視野は、実体顕微鏡からの画像視野の中にファイバスコープからの画像視野を配してなり、他方の画像光路に設けた接眼レンズ部の視野は、実体顕微鏡からの画像視野のみからなる構成をなしているので、実体顕微鏡の視野内にファイバスコープの視野が形成され、実体顕微鏡による観察とファイバスコープによる観察とを同一視野内で同時に行うことができるようになる。
【００２０】
ファイバスコープからの画像光を鏡胴光路に挿入する手段、すなわち手段Ａが着脱自在とされていれば、ファイバスコープの視野を実体顕微鏡本体の視野内から消すことができ、実体顕微鏡の単一視野が得られるから、この複視野顕微鏡は通常の単一視野の実体顕微鏡としても用いることができる。
ファイバスコープの対物レンズ部であるＦＳ対物レンズ部が、実体顕微鏡の視野内に観察できるように配置されていれば、ファイバスコープの観察対象部位が、接眼レンズ部から目を離すことなく確認できるようになる。
【図面の簡単な説明】
【図１】本発明の一実施形態を示す正面図。
【図２】上記実施形態におけるファイバスコープ対物レンズ部を示す断面図と（Ａ）正面図。
【図３】上記実施形態における光学系を示す光路図。
【図４】上記実施形態における視野を例示する画像図。
【符号の説明】
１ａ，１ｂ…接眼レンズ部、２…鏡胴部、３…実体顕微鏡の対物レンズ部、６…ミラー着脱ノブ、７…画像調整機構、８…ミラー、９ａ，９ｂ…鏡胴光路、１０…実体顕微鏡本体、２０…ファイバスコープ、２５…ファイバスコープの対物レンズ部、２９…ファイバスコープ光路
【図１】
0003573839.tif 000002
【図２】
0003573839.tif 000003
【図３】
0003573839.tif 000004
【図４】
0003573839.tif 000005